(57)【要約】【課題】  アドレス帳に登録された後に転送先のアドレスやパスワードが変更されても、センドジョブを実行する前に、その転送先のアドレスやパスワードの変更をユーザーに報知されやすくする。【解決手段】  画像読取部２３は、原稿から原稿画像を読み取り、その原稿画像の画像データを生成する。センドジョブ実行部３２は、センドジョブにおいてその画像データを所定のアドレス帳データ４３に登録されている転送先アドレスに転送する。アドレス帳管理部３３は、アドレス帳データ４３に転送先アドレスが登録された後の所定のタイミングでアドレス帳データ４３に登録されている転送先アドレスの接続確認を行い、転送先アドレスに関連付けて接続確認の結果をアドレス帳データ４３に登録する。【選択図】  図１
2019201238.tif 000002
【特許請求の範囲】
【請求項１】
原稿から原稿画像を読み取り、前記原稿画像の画像データを生成する画像読取部と、
センドジョブにおいて前記画像データを所定のアドレス帳データに登録されている転送先アドレスに転送するセンドジョブ実行部と、
前記アドレス帳データに転送先アドレスが登録された後の所定のタイミングで、前記アドレス帳データに登録されている転送先アドレスの接続確認を行い、前記転送先アドレスに関連付けて前記接続確認の結果を前記アドレス帳データに登録するアドレス帳管理部と、
を備えることを特徴とする画像読取装置。
【請求項２】
ユーザー認証または部門認証を伴うログイン処理を実行するログイン処理部をさらに備え、
前記アドレス帳管理部は、前記ログイン処理における前記ユーザー認証または前記部門認証に成功した場合、前記アドレス帳データに基づいて、前記ユーザー認証に成功したユーザーまたは前記部門認証に成功した部門に対応する転送先アドレスを特定し、特定した前記転送先アドレスの接続確認を行い、前記接続確認の結果を前記アドレス帳データに登録すること、
を特徴とする請求項１記載の画像読取装置。
【請求項３】
ユーザー認証または部門認証を伴うログイン処理を実行するログイン処理部をさらに備え、
前記アドレス帳管理部は、（ａ）前記ユーザー認証に成功したユーザーまたは前記部門認証に成功した部門によって使用された前記転送先アドレスの履歴データを所定の記憶装置に格納し、（ｂ）前記ログイン処理後に、（ｂ１）前記履歴データに基づいて最後に使用された前記転送先アドレスを特定し、（ｂ２）特定した前記転送先アドレスの接続確認を行い、前記接続確認の結果を前記アドレス帳データに登録すること、
を特徴とする請求項１記載の画像読取装置。
【請求項４】
前記センドジョブ実行部は、前記センドジョブに使用される前記転送先アドレスをユーザーに選択させるために前記アドレス帳データを所定の表示装置に表示する際に、前記アドレス帳データに登録されている前記転送先アドレスの前記接続確認の結果を表示することを特徴とする請求項１から請求項３のうちのいずれか１項記載の画像読取装置。
【発明の詳細な説明】
【技術分野】
【０００１】
本発明は、画像読取装置に関するものである。
【背景技術】
【０００２】
ある画像処理装置では、画像データの転送先の宛先情報がアドレス帳から選択可能となっており、宛先情報がアドレス帳に登録される際に、その転送先の接続可否が判定され、その判定結果がユーザーに通知される（例えば特許文献１参照）。
【先行技術文献】
【特許文献】
【０００３】
【特許文献１】特開２０１５−１０６８１５号公報
【発明の概要】
【発明が解決しようとする課題】
【０００４】
しかしながら、アドレス帳に転送先が登録された後に、転送先アドレスや転送先のパスワード（サーバーなどのパスワード）が変更された場合、センドジョブ実行時に送信エラーとなってしまい、ただちに画像データを転送することが困難であり、転送先の登録情報を編集しないとセンドジョブの画像データを転送することが困難である。
【０００５】
つまり、ユーザーは、送信エラーによって転送先の登録情報の誤りに気づいてから、正しい転送先の情報（アドレスやパスワードなど）を特定し、別途、アドレス帳の編集画面を開いて、その転送先の登録情報の編集を行い、さらに、その後、画像データの転送を実行させることになり、非常に手間が掛るとともに時間も掛り、そのため、センドジョブ実行の際に適時に画像データの転送を完了することが困難となる。
【０００６】
本発明は、上記の問題に鑑みてなされたものであり、アドレス帳に登録された後に転送先のアドレスやパスワードが変更されても、センドジョブを実行する前に、その転送先のアドレスやパスワードの変更がユーザーに報知されやすくする画像読取装置を得ることを目的とする。
【課題を解決するための手段】
【０００７】
本発明に係る画像読取装置は、原稿から原稿画像を読み取り、前記原稿画像の画像データを生成する画像読取部と、センドジョブにおいて前記画像データを所定のアドレス帳データに登録されている転送先アドレスに転送するセンドジョブ実行部と、前記アドレス帳データに転送先アドレスが登録された後の所定のタイミングで前記アドレス帳データに登録されている転送先アドレスの接続確認を行い、前記転送先アドレスに関連付けて前記接続確認の結果を前記アドレス帳データに登録するアドレス帳管理部とを備える。
【発明の効果】
【０００８】
本発明によれば、アドレス帳に登録された後に転送先のアドレスやパスワードが変更されても、センドジョブを実行する前に、その転送先のアドレスやパスワードの変更がユーザーに報知されやすくする画像読取装置が得られる。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る画像読取装置の構成を示すブロック図である。
【図２】図２は、図１におけるアドレス帳データ４３の一例を示す図である。
【発明を実施するための形態】
【００１１】
以下、図に基づいて本発明の実施の形態を説明する。
【００１２】
図１は、本発明の実施の形態に係る画像読取装置の構成を示すブロック図である。この実施の形態に係る画像読取装置は、画像読取機能および通信機能を有するスキャナー、複合機などである。図１に示す画像読取装置は、複合機であり、操作パネル１１、通信装置２１、印刷装置２２、画像読取部２３、ファクシミリ装置２４、記憶装置２５、およびコントローラー２６を備える。
【００１３】
操作パネル１１は、液晶ディスプレイなどの表示装置１１ａ、およびタッチパネルなどの入力装置１１ｂを備え、ユーザーに対する操作画面の表示およびユーザーの入力操作の検出を行う。表示装置１１ａは、ユーザーに対して操作画面を表示し、入力装置１１ｂは、ユーザーにより入力されるユーザー操作を受け付ける。
【００１４】
また、通信装置２１は、ネットワークなどを介して図示せぬホスト装置に接続可能であって、所定の通信プロトコルでデータ通信を行う装置（ネットワークインターフェイスなど）である。
【００１５】
また、印刷装置２２は、例えば電子写真方式で原稿画像を印刷用紙に印刷する内部デバイスである。
【００１６】
また、画像読取部２３は、原稿から原稿画像を光学的に読み取り、原稿画像の画像データを生成する内部デバイスである。
【００１７】
また、ファクシミリ装置２４は、ファクシミリ信号を受信しそのファクシミリ信号を画像データに変換する受信機能と、画像データをファクシミリ信号に変換しそのファクシミリ信号を送信する送信機能とを有する内部デバイスである。
【００１８】
また、記憶装置２５は、ハードディスクドライブ、フラッシュメモリーなどの不揮発性の記憶装置であって、データ、プログラムなどを記憶する。記憶装置２５には、ユーザー登録データ４１、部門登録データ４２、およびアドレス帳データ４３が記憶されている。
【００１９】
ユーザー登録データ４１は、各登録ユーザーについて、ユーザーＩＤ、パスワード、および属性情報（ユーザー名、所属部門の部門ＩＤなど）を、互いに関連付けた状態で含んでいる。部門登録データ４２は、各登録部門について、部門ＩＤ、パスワード、および属性情報（部門名など）を、互いに関連付けた状態で含んでいる。
【００２０】
図２は、図１におけるアドレス帳データ４３の一例を示す図である。図２に示すように、アドレス帳データ４３は、各転送先レコードにおいて、転送先名称、転送先アドレス、登録ユーザー、関連ユーザー、関連部門、接続確認結果（後述）などを互いに関連付けた状態で含んでいる。この登録ユーザーは、当該レコードを登録したユーザーのユーザーＩＤを示す。また、この関連ユーザーは、当該レコードを登録したユーザーにより転送先レコード登録時に指定された関連ユーザーのユーザーＩＤを示す。また、この関連部門は、当該レコードを登録したユーザーにより転送先レコード登録時に指定された関連部門の部門ＩＤを示す。
【００２１】
図１に戻り、コントローラー２６は、図示せぬＣＰＵ（Central Processing Unit）、ＲＯＭ（Read Only Memory）、ＲＡＭ（Random Access Memory）などを有するコンピューターを有し、ＲＯＭまたは記憶装置２５に記憶されているプログラムをＲＡＭへロードし、そのプログラムをＣＰＵで実行することにより、各種処理部として動作する。
【００２２】
コントローラー２６は、ログイン処理部３１、センドジョブ実行部３２、およびアドレス帳管理部３３として動作する。
【００２３】
ログイン処理部３１は、ユーザー登録データ４１または部門登録データ４２を参照してユーザー認証または部門認証を伴うログイン処理を実行する。
【００２４】
センドジョブ実行部３２は、ユーザーからの要求に応じて、画像読取部２３および通信装置２１を使用してセンドジョブ（センドトゥＥメール、センドトゥＦＴＰ、センドトゥＳＭＢなど）を実行する。センドジョブ実行部３２は、センドジョブにおいて画像データを、所定の通信プロトコル（ＦＴＰ（File Transfer Protocol）、ＳＭＢ（Server Message Block）、電子メールなど）で、所定のアドレス帳データ４３に登録されている転送先アドレスに転送する。
【００２５】
なお、アドレス帳データ４３においては、必要に応じて、転送アドレスに関連付けてパスワードが登録される。例えば、通信プロトコルがＦＴＰまたはＳＭＢである場合、転送先のフォルダーなどがあるサーバーやパーソナルコンピューターに設定されているパスワードが登録され、通信プロトコルが電子メールである場合、送信メールサーバーのパスワードが登録される。
【００２６】
また、センドジョブ実行部３２は、センドジョブに使用される転送先アドレスをユーザーに選択させるためにアドレス帳データ４３を表示装置１１ａに表示し、その際に、アドレス帳データ４３に登録されている転送先アドレスの接続確認（後述）の結果を表示する。
【００２７】
アドレス帳管理部３３は、操作パネル１１に対するユーザー操作に従って、アドレス帳データ４３において、転送先レコードの追加、編集、削除などを実行する。さらに、アドレス帳管理部３３は、アドレス帳データ４３に転送先アドレスが登録された後の所定のタイミングで、アドレス帳データ４３に登録されている転送先アドレスの接続確認を行い、その転送先アドレスに関連付けて接続確認の結果をアドレス帳データ４３に登録する。なお、この実施の形態では、アドレス帳データ４３は当該画像読取装置に内蔵されているが、外部の装置（サーバーなど）に格納されていてもよい。
【００２８】
例えば、ＦＴＰやＳＭＢの場合、アドレス帳管理部３３は、ダミーデータのライトまたはリードを行うことで、接続確認を実行し、そのライトまたはリードに成功した場合には、接続確認に成功したと判定し、そうではない場合には、接続確認に失敗したと判定する。また、例えば、電子メールの場合、アドレス帳管理部３３は、特定アドレスへのメール送信を行うことで、接続確認を実行し、そのメール送信に成功した場合には、接続確認に成功したと判定し、そうではない場合には、接続確認に失敗したと判定する。
【００２９】
また、例えば、アドレス帳管理部３３は、上述のログイン処理におけるユーザー認証または部門認証に成功した場合、アドレス帳データ４３に基づいて、ユーザー認証に成功したユーザーまたは部門認証に成功した部門に対応する転送先アドレスを特定し、特定した転送先アドレスの接続確認を行い、その接続確認の結果をアドレス帳データ４３に登録する。
【００３０】
また、例えば、アドレス帳管理部３３は、（ａ）上述のようにユーザー認証に成功したユーザーまたは部門認証に成功した部門によって使用された転送先アドレスの履歴データ（図示せず）を記憶装置２５に格納し、（ｂ）ログイン処理の直後に、（ｂ１）履歴データに基づいて最後に使用された転送先アドレスを特定し、（ｂ２）特定した転送先アドレスの接続確認を行い、その接続確認の結果をアドレス帳データに登録する。
【００３１】
次に、上記画像読取装置の動作について説明する。
【００３２】
この実施の形態では、当該画像読取装置の起動時などにおいては、操作パネル１１にログイン画面が表示され、ログインのためのユーザー操作以外のユーザー操作は禁止されている。そして、ユーザーは、当該画像読取装置を使用する際に、ユーザー認証のためのユーザーＩＤおよびパスワード、または部門認証のための部門ＩＤおよびパスワードを操作パネル１１でログイン画面に入力し、ログイン処理を実行させる。
【００３３】
その際、ログイン処理部３１は、入力されたユーザーＩＤおよびパスワードに基づいて、ユーザー登録データ４１を参照してユーザー認証を実行するか、入力された部門ＩＤおよびパスワードに基づいて、部門登録データ４２を参照して部門認証を実行する。
【００３４】
ユーザー認証または部門認証に成功した場合、ログイン処理部３１は、所定のメニュー画面などを操作パネル１１に表示する。これにより、ユーザーは、当該画像読取装置を操作可能な状態となる。
【００３５】
他方、アドレス帳管理部３３は、ログイン処理においてユーザー認証または部門認証が成功すると、アドレス帳データ４３において、そのユーザーにより入力されたユーザーＩＤまたは部門ＩＤに関連付けられている転送先アドレスを特定し、その転送先アドレスの接続確認を上述のようにして実行し、その接続確認の結果をアドレス帳データ４３に登録する。
【００３６】
例えば図２に示すようなアドレス帳データ４３の場合、ユーザーにより入力されたユーザーＩＤに一致する登録ユーザーまたは関連ユーザーを含む転送先レコードの転送先アドレスが特定され、ユーザーにより入力された部門ＩＤに一致する関連部門を含む転送先レコードの転送先アドレスが特定される。特定された１または複数の転送先アドレスの接続確認が実行される。
【００３７】
ログイン処理後、ユーザーは、必要に応じて、操作パネル１１を操作して、センドジョブを要求する。ユーザーがセンドジョブを要求すると、センドジョブ実行部３２は、アドレス帳データ４３を操作パネルの表示装置１１ａに表示し、転送先をユーザーに選択させる。その際、各転送先についての最新の接続確認結果が併せて表示される。これにより、ユーザーは、センドジョブの転送先を選択する前に、転送先の接続確認結果を確認できる。
【００３８】
ユーザーは、その接続確認結果を確認しつつ、転送先を選択し、選択した転送先を指定する操作を操作パネル１１に対して行う。その際、ユーザーは、その接続確認結果が失敗（ＮＧ）を示している転送先を今回のセンドジョブの転送先に使用したい場合には、この時点で事前に転送先アドレスやパスワードの確認および編集を行う。あるいは、ユーザーは、その接続確認結果が失敗（ＮＧ）を示している転送先を避けて今回のセンドジョブの転送先を選択する。
【００３９】
そして、センドジョブ実行部３２は、操作パネル１１に対して行われたその操作を入力装置１１ｂで検出し、その操作で選択された転送先を特定する。その後、センドジョブ実行部３２は、画像読取部２３に原稿の画像読取を実行させ、画像読取部２３により生成された画像データを、通信装置２１を使用して、選択された転送先へ送信する。
【００４０】
以上のように、上記実施の形態によれば、画像読取部２３は、原稿から原稿画像を読み取り、その原稿画像の画像データを生成する。センドジョブ実行部３２は、センドジョブにおいてその画像データを所定のアドレス帳データ４３に登録されている転送先アドレスに転送する。アドレス帳管理部３３は、アドレス帳データ４３に転送先アドレスが登録された後の所定のタイミングでアドレス帳データ４３に登録されている転送先アドレスの接続確認を行い、転送先アドレスに関連付けて接続確認の結果をアドレス帳データ４３に登録する。
【００４１】
これにより、アドレス帳に登録された後に転送先のアドレスやパスワードが変更されても、センドジョブを実行する前に、その転送先のアドレスやパスワードの変更がユーザーに報知されやすくなる。
【００４２】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００４３】
例えば、上記実施の形態において、アドレス帳管理部３３は、ユーザーなどにより指定されたスケジュールに従って所定のタイミングで、アドレス帳データ４３に登録済みの転送先アドレスの接続確認を自動的に行うようにしてもよい。その際、すべての登録済みの転送先アドレスの接続確認を行うようにしてもよいし、最後に使用された転送先アドレスについての接続確認を行うようにしてもよい。
【００４４】
また、上記実施の形態において、当該画像読取装置の使用にユーザー認証および部門認証が要求されないようにしてもよい。その場合でも、ユーザーは、センドジョブを要求可能であり、アドレス帳管理部３３は、例えば、アドレス帳データ４３における全部の転送先アドレス、あるいは、最後に使用された転送先アドレスについての接続確認を行うようにしてもよい。
【００４５】
さらに、上記実施の形態において、例えば記憶装置２５に記憶される図示せぬ設定データにおいて、自動接続確認設定の項目を設け、アドレス帳管理部３３は、自動接続確認設定の設定値に応じて、上述の接続確認を自動的に行うか否かを判定するようにしてもよい。
【産業上の利用可能性】
【００４６】
本発明は、例えば、スキャナー、複合機などの画像読取装置に適用可能である。
【符号の説明】
【００４７】
２３  画像読取部
３１  ログイン処理部
３２  センドジョブ実行部
３３  アドレス帳管理部
４３  アドレス帳データ
【図１】
2019201238.tif 000003
【図２】
2019201238.tif 000004